(57)【特許請求の範囲】
【請求項１】
上部に開口部が設けられ、家庭用薄葉紙を内部に収納する有底の容器本体と、
一端部が前記開口部の縁に固定され、他端部を前記開口部の中央側に向けて配した複数の封止片と、
を備え、
前記封止片は、隣接する封止片同士で重なり合って前記開口部を塞いでおり、
前記封止片は、前記容器本体に装填される前記家庭用薄葉紙に押されて前記容器本体の底面に前記他端部を向けるように変形した後、前記開口部を塞いで容器内の気密性を高める配置に復元することを特徴とする家庭用薄葉紙収納容器。
【請求項２】
前記封止片は、前記開口部を塞ぐ配置で互いに突き合わせる前記他端部間で、前記家庭用薄葉紙を保持することを特徴とする請求項１に記載の家庭用薄葉紙収納容器。
【発明の詳細な説明】
【技術分野】
【０００１】
本発明は、ウェットシートやウェットティッシュ等の家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
そして、容器本体と、その容器本体に螺合する蓋体とを備える家庭用薄葉紙収納容器内に収納されている家庭用薄葉紙を、蓋体に設けられている貫通孔から取り出して使用するようになっているものが知られている（例えば、特許文献１参照。）。
【先行技術文献】
【特許文献】
【０００３】
【特許文献１】特開２００９−１４９３２０号公報
【発明の概要】
【発明が解決しようとする課題】
【０００４】
しかしながら、上記特許文献１の収納容器の場合、詰め替え用の新たな家庭用薄葉紙を装填するには、容器本体から蓋体を外す、容器本体の中に新たな家庭用薄葉紙を入れる、その家庭用薄葉紙の１枚目の端部を蓋体の貫通孔に通す、容器本体に蓋体を螺合させる、といった手順を要し、詰め替えの度に蓋体の脱着を行う必要があった。
また、家庭用薄葉紙を家庭用薄葉紙収納容器から取り出し可能とするために、家庭用薄葉紙の端部を蓋体の貫通孔に通す作業は煩雑であり、詰め替え作業に手間がかかるという問題があった。
【０００５】
本発明の目的は、家庭用薄葉紙の詰め替えを容易に行うことができる家庭用薄葉紙収納容器を提供することである。
【課題を解決するための手段】
【０００６】
以上の課題を解決するため、請求項１に記載の発明は、家庭用薄葉紙収納容器であって、
上部に開口部が設けられ、家庭用薄葉紙を内部に収納する有底の容器本体と、
一端部が前記開口部の縁に固定され、他端部を前記開口部の中央側に向けて配した複数の封止片と、
を備え、
前記封止片は、隣接する封止片同士で重なり合って前記開口部を塞いでおり、
前記封止片は、前記容器本体に装填される前記家庭用薄葉紙に押されて前記容器本体の底面に前記他端部を向けるように変形した後、前記開口部を塞いで容器内の気密性を高める配置に復元することを特徴とする。
【０００７】
請求項２に記載の発明は、請求項１に記載の家庭用薄葉紙収納容器において、
前記封止片は、前記開口部を塞ぐ配置で互いに突き合わせる前記他端部間で、前記家庭用薄葉紙を保持することを特徴とする。
【発明の効果】
【０００９】
請求項１に記載の発明によれば、この家庭用薄葉紙収納容器に家庭用薄葉紙を収納する際、容器本体の開口部を塞いでいる複数の封止片を家庭用薄葉紙で押し開くように、封止片の他端部を容器本体の底面に向けて変形させて、その家庭用薄葉紙を容器本体内に押し入れることができる。そして、その容器本体内に家庭用薄葉紙が収納された後、複数の封止片が元の配置に復元することで開口部を閉蓋するようになっているので、家庭用薄葉紙の詰め替えを容易に行うことができる。
また、容器本体の開口部を塞いでいる複数の封止片が、隣接する封止片同士で重なり合うことで、封止片間に隙間が生じ難くなっているので、複数の封止片からなる蓋体が開口部を閉蓋することによって、収納容器内の気密性を高めることができる。
【００１０】
請求項２に記載の発明によれば、容器本体の開口部を塞いでいる複数の封止片が、その封止片の他端部間で家庭用薄葉紙を保持しているので、複数の封止片の他端部が互いに突き合わせている部分を家庭用薄葉紙の取出口として機能させることができ、複数の封止片からなる取出口から家庭用薄葉紙を取り出すことができる。
【図面の簡単な説明】
【００１２】
【図１】本発明の実施形態１における家庭用薄葉紙収納容器を示す斜視図である。
【図２】図１のII−II線における断面図である。
【図３】封止片の変形例を示す斜視図である。
【図４】実施形態１の家庭用薄葉紙収納容器に家庭用薄葉紙を装填する状態を示す説明図である。
【図５】実施形態１の家庭用薄葉紙収納容器の変形例を示す斜視図である。
【図６】本発明の実施形態２における家庭用薄葉紙収納容器を示す斜視図である。
【図７】図６のVII−VII線における断面図であり、段差面で重なった封止片の拡大図（ａ）と、傾斜面で重なった封止片の拡大図（ｂ）である。
【図８】本発明の実施形態３における家庭用薄葉紙収納容器を示す斜視図である。
【図９】図８のIX−IX線における断面図である。
【図１０】実施形態３の家庭用薄葉紙収納容器に家庭用薄葉紙を装填する状態を示す説明図である。
【図１１】本発明の実施形態４における家庭用薄葉紙収納容器を示す斜視図である。
【図１２】図１１のXII−XII線における断面図である。
【発明を実施するための形態】
【００１３】
以下、図を参照して、本発明に係る家庭用薄葉紙収納容器の具体的な態様を詳細に説明する。ただし、発明の範囲は、図示例に限定されない。
【００１４】
（実施形態１）
図１は、本発明を適用した好適な実施形態として例示する家庭用薄葉紙収納容器１００の斜視図である。図２は、その家庭用薄葉紙収納容器１００の断面図である。
【００１５】
家庭用薄葉紙収納容器１００は、例えば、図１、図２に示すように、上部に開口部１１が設けられた容器本体１０と、容器本体１０の開口部１１を塞ぐ複数（本実施形態では８枚）の封止片２０…と、を備えている。
【００１６】
容器本体１０は、例えば、図１、図２に示すように、その上端に開口部１１が形成されている有底円筒形状のボトルであり、開口部１１に相当する上面に対向する配置の底面部１２を有している。
開口部１１の縁には、封止片２０を配設するための枠部１１ａが設けられている。枠部１１ａは、容器本体１０の内壁面から開口部１１の中央側に向かって底面部１２と平行に延出しており略円環形状を呈している。この枠部１１ａの上面に封止片２０が取り付けられる。
この容器本体１０は、例えば、ＰＥ（ポリエチレン）やＰＰ（ポリプロピレン）、或いはＰＥＴ（ポリエチレンテレフタレート）、ＡＢＳ樹脂等から形成されている。
【００１７】
そして、この容器本体１０の内部にロール状の家庭用薄葉紙Ｐ（例えば、ロール状に巻かれたウェットシートやウェットティッシュ等のロールペーパー）が収納される。なお、家庭用薄葉紙収納容器１００に収納するロール状に巻かれた家庭用薄葉紙Ｐには、長さ方向に一定間隔をおいてミシン目が施されており、そのミシン目に沿って切り離したサイズの家庭用薄葉紙Ｐを、ユーザが使用するようになっている。
【００１８】
封止片２０は、例えば、図１、図２に示すように、円がほぼ８等分された扇形を呈する平板状の部材であり、円弧状の一端部２１が開口部１１の枠部１１ａに固定されている。その一端部２１の円弧を繋げて円をなすように、８枚の封止片２０が枠部１１ａに固定されており、封止片２０の他端部２２が開口部１１の略中央で突き合わされている。
この封止片２０は、例えば、シリコンゴムからなる弾性変形可能な部材である。封止片２０は、例えば、枠部１１ａに接着または融着されて固定されている。
【００１９】
また、８枚の封止片２０を組み合わせることで略円形状の蓋体を構成するようになっており、８枚の封止片２０からなる蓋体によって開口部１１が閉蓋されている。
その８枚の封止片２０が容器本体１０の開口部１１を塞ぐ配置であり、封止片２０の他端部２２が開口部１１の略中央で突き合わされている配置において、封止片２０の他端部２２間で家庭用薄葉紙Ｐが保持されるようになっている。つまり、８枚の封止片２０が容器本体１０の開口部１１を塞いで、その封止片２０の他端部２２を開口部１１の略中央で突き合わせている部分が家庭用薄葉紙Ｐの取出口として機能する。
具体的に、封止片２０の他端部２２が突き合わされてなる取出口は、ロール状に巻回された家庭用薄葉紙Ｐを引き出す際に、家庭用薄葉紙Ｐに設けられている切断用のミシン目で家庭用薄葉紙Ｐ同士を切断する機能を果たす。また、その取出口は、先の家庭用薄葉紙Ｐが引き出された後に、次の家庭用薄葉紙Ｐを挟んで保持する機能を果たす。
例えば、この取出口としての封止片２０の他端部２２間に保持されている家庭用薄葉紙Ｐが引き出される際に封止片２０と擦れ、家庭用薄葉紙Ｐに摩擦力が付与されることで、ミシン目に沿って家庭用薄葉紙Ｐが切断されるようになっている。封止片２０の他端部２２間で家庭用薄葉紙Ｐを挟持する保持力や、封止片２０が家庭用薄葉紙Ｐに付与する摩擦力は、封止片２０の厚みや硬さを調整することによって調節でき、家庭用薄葉紙収納容器１００から家庭用薄葉紙Ｐを取り出すことに適切な状態に調節されている。
【００２０】
なお、ここでは扇形を呈する８枚の封止片２０を組み合わせることで略円形状の蓋体を構成するようにしたが、蓋体の形状はこれに限らない。
例えば、図３に示すように、円形状のシリコンゴム板にその円の略中心を通るカットを施し、その直径よりも僅かに短い切込部２３を４５°間隔で４本形成することで、８つの封止片２０ａを形成した蓋体２５であってもよい。この蓋体２５は、８つの封止片２０ａが円周側で一体に繋がった形状を有しており、その円周部分を開口部１１の枠部１１ａに固定して、容器本体１０に取り付けることができる。
この蓋体２５であれば、８つの封止片２０ａが一端部側に相当する円周側で一体に繋がり、その８つの封止片２０ａの他端部が円の中心側で突き合わされて家庭用薄葉紙Ｐの取出口になるので、１枚のシリコンゴム板であっても、８枚の封止片２０の一端部２１を枠部１１ａに固定した蓋体と同様の機能を果たすことができる。
【００２１】
このような家庭用薄葉紙収納容器１００における家庭用薄葉紙Ｐの詰め替えに際して、家庭用薄葉紙収納容器１００に新たな家庭用薄葉紙Ｐを収納する場合、例えば、図４に示すように、封止片２０が設けられている容器本体１０の開口部１１側から家庭用薄葉紙Ｐを容器本体１０内に押し入れて装填する。
このとき封止片２０は、容器本体１０に装填される家庭用薄葉紙Ｐに押されて撓み、容器本体１０の底面部１２に封止片２０の他端部２２を向けるように弾性変形する。
そして、家庭用薄葉紙Ｐが底面部１２に達し、家庭用薄葉紙Ｐが封止片２０を通過すれば、封止片２０は開口部１１を塞ぐ配置に復元する。この際、ユーザが家庭用薄葉紙Ｐの１枚目の端部を開口部１１付近まで摘み上げることで、図２に示すように、その１枚目の家庭用薄葉紙Ｐを封止片２０の他端部２２間に容易に保持させることができる。
また、８枚の封止片２０からなる蓋体が開口部１１を閉蓋することにより、容器内の気密性を高め、容器内に収納したウェットタイプの家庭用薄葉紙Ｐの乾燥を低減することができる。また、容器内に異物などが混入してしまうことを防ぎ、内部に収納されている家庭用薄葉紙Ｐの汚染を低減することができる。
【００２２】
以上のように、本発明に係る家庭用薄葉紙収納容器１００は、容器本体１０の開口部１１を閉蓋している複数の封止片２０が弾性変形可能であるので、容器本体１０に装填する詰め替え用の新たな家庭用薄葉紙Ｐで封止片２０を押し開いて、容器本体１０内に家庭用薄葉紙Ｐを収納することができる。また、容器本体１０内に家庭用薄葉紙Ｐが収納された後、封止片２０が復元することで、容器本体１０の開口部１１を閉蓋することができる。
そして、封止片２０が開口部１１を塞ぐ配置に復元する際に、新たな家庭用薄葉紙Ｐの１枚目の家庭用薄葉紙Ｐを封止片２０の他端部２２間に保持させれば、家庭用薄葉紙Ｐの詰め替え作業が完了し、その家庭用薄葉紙収納容器１００から家庭用薄葉紙Ｐを取り出し可能になる。
つまり、この家庭用薄葉紙収納容器１００において家庭用薄葉紙Ｐの詰め替えを行う場合、家庭用薄葉紙Ｐで封止片２０を押し開くようにして、その家庭用薄葉紙Ｐを容器本体１０に押し入れることができ、容器本体１０内に家庭用薄葉紙Ｐが収納された後、封止片２０が閉蓋の配置に復元することで家庭用薄葉紙Ｐの詰め替え作業が完了するので、家庭用薄葉紙Ｐの詰め替えを容易に行うことができる。
【００２３】
なお、上記実施形態１では、８枚の封止片２０（或いは、８つの封止片２０ａが形成された略円形の蓋体２５）によって、開口部１１を閉蓋する家庭用薄葉紙収納容器１００について説明したが、封止片の数は２枚（２つ）以上の任意の数であってよい。但し、複数の封止片の他端部を突き合わせてなる取出口を良好に機能させるためには、封止片は１０枚以下であることが好ましい。封止片が１０枚を超えると、家庭用薄葉紙Ｐに適切な摩擦力を付与できなくなったり、封止片間の隙間が多くなって容器内の気密性が低下したりする不具合が生じてしまうことがある。
そして、例えば、図５に示すように、略半円状の扇形を呈する２枚の封止片３０を備える家庭用薄葉紙収納容器１０１の場合、封止片３０の一端部３１を開口部１１の枠部１１ａに固定して、その封止片３０の他端部３２を開口部１１の中央側で突き合わせるが、特に、封止片３０の他端部３２側に切込部３３を形成することが好ましい。
この切込部３３は、封止片３０の他端部３２側の略中央に、扇形の半径の１／４から１／２程度の短いカットを施してなる切れ目である。封止片３０の他端部３２に切込部３３を形成することで、家庭用薄葉紙収納容器１０１に装填する家庭用薄葉紙Ｐで封止片３０を押し開きやすくなり、家庭用薄葉紙Ｐの詰め替えが行い易くなる。また、２枚の封止片３０であっても４つの他端部を突き合わせたような取出口とすることができ、取出口として良好に機能させることができる。
【００２４】
（実施形態２）
次に、本発明に係る家庭用薄葉紙収納容器の実施形態２について説明する。なお、実施形態１と同様の構成については、同符号を付して説明を割愛する。
【００２５】
家庭用薄葉紙収納容器１０２は、例えば、図６に示すように、上部に開口部１１が設けられた容器本体１０と、容器本体１０の開口部１１を塞ぐ複数（本実施形態では８枚）の封止片４０…と、を備えている。
【００２６】
封止片４０は、封止片４０の他端部４２の先端から一端部４１に向かう一方の縁部が張り出しており、実施形態１の封止片２０に比べて大きな形状を有している。
そして、容器本体１０の開口部１１の枠部１１ａに固定された８枚の封止片４０は、隣接する封止片４０同士で重なり合っており、一方の縁部が他方の縁部に乗り掛かるように重なっている。
特に、封止片４０の一方の縁部の下面４０ｄが、隣接する封止片４０の他方の縁部の上面４０ｕを覆うように重なっており、例えば、図７（ａ）に示すように、それぞれの縁部に形成された段差面を継ぎ合わせるように、段差面としての下面４０ｄと上面４０ｕが向き合って、下面４０ｄが上面４０ｕを覆っていてもよく、また、図７（ｂ）に示すように、それぞれの縁部に形成された傾斜面を密接させるように、傾斜面としての下面４０ｄと上面４０ｕが向き合って、下面４０ｄが上面４０ｕを覆っていてもよい。
この封止片４０も、弾性変形可能なシリコンゴムからなる。
【００２７】
このような家庭用薄葉紙収納容器１０２であっても、家庭用薄葉紙Ｐの詰め替えを行う際、家庭用薄葉紙Ｐで封止片４０を押し開くようにして、その家庭用薄葉紙Ｐを容器本体１０に押し入れることができ、容器本体１０内に家庭用薄葉紙Ｐが収納された後、封止片４０が閉蓋の配置に復元することで家庭用薄葉紙Ｐの詰め替え作業が完了するので、家庭用薄葉紙Ｐの詰め替えを容易に行うことができる。
特に、隣接する封止片４０同士が重なり合うことで、封止片４０間に隙間が生じ難くなっているので、８枚の封止片４０からなる蓋体が開口部１１を閉蓋することによって、容器内の気密性をより一層高めることができる。そして、容器内に収納したウェットタイプの家庭用薄葉紙Ｐの乾燥を防いだり、容器内に異物などが混入してしまうことを防いだりすることができる。
【００２８】
（実施形態３）
次に、本発明に係る家庭用薄葉紙収納容器の実施形態３について説明する。なお、実施形態１と同様の構成については、同符号を付して説明を割愛する。
【００２９】
家庭用薄葉紙収納容器１０３は、例えば、図８、図９に示すように、上部に開口部１１が設けられた容器本体１０と、容器本体１０の開口部１１を塞ぐ複数（本実施形態では４枚）の封止片５０…と、を備えている。
【００３０】
封止片５０は、例えば、図８〜図１０に示すように、円がほぼ４等分された扇形を呈する平板状の部材であり、円弧状の一端部５１が開口部１１の枠部１１ａに固定されている。その一端部５１の円弧を繋げて円をなすように、４枚の封止片５０が枠部１１ａに固定されており、封止片５０の他端部５２が開口部１１の略中央で突き合わされている。
また、封止片５０における一端部５１の円弧の両端を繋ぐ弦に相当する部分に直線状の肉薄部５４が形成されている。この肉薄部５４を回動軸として、封止片５０の他端部５２側の略三角形の領域が、容器本体１０の内部に向かって回動するようになっている。なお、この肉薄部５４は、封止片５０の他端部５２側が底面部１２に対して略平行となる配置から容器本体１０の内部に向かって略９０°折れ曲がる範囲で回動可能とする回動軸であり、封止片５０の他端部５２側が底面部１２に対して略平行となる配置から上方には回動しないようになっている。
この封止片５０は、例えば、ＰＥ（ポリエチレン）やＰＰ（ポリプロピレン）、或いはＰＥＴ（ポリエチレンテレフタレート）、ＡＢＳ樹脂等から形成されている。
【００３１】
この家庭用薄葉紙収納容器１０３における家庭用薄葉紙Ｐの詰め替えに際して、家庭用薄葉紙収納容器１０３に新たな家庭用薄葉紙Ｐを収納する場合、例えば、図１０に示すように、封止片５０が設けられている容器本体１０の開口部１１側から家庭用薄葉紙Ｐを容器本体１０内に押し入れて装填する。
このとき封止片５０の他端部５２側が、容器本体１０に装填される家庭用薄葉紙Ｐに押されて回動し、容器本体１０の底面部１２に封止片５０の他端部５２を向けるように変形する。
そして、家庭用薄葉紙Ｐを容器本体１０内に収納した後、封止片５０の他端部５２側を引き上げるように回動させて復元し、封止片５０が開口部１１を塞ぐ配置に戻す。この際、ユーザが家庭用薄葉紙Ｐの１枚目の端部を開口部１１付近まで摘み上げることで、図９に示すように、その１枚目の家庭用薄葉紙Ｐを封止片５０の他端部５２間に容易に保持させることができる。
なお、封止片５０は、他端部５２側が底面部１２に対して略平行となる配置から上方には回動しないようになっているため、封止片５０の他端部５２は、引き出される家庭用薄葉紙Ｐに適切な摩擦力を付与できるので、封止片５０の他端部５２が突き合わされている部分は、家庭用薄葉紙Ｐを引き出す取出口としての機能を好適に果たすことができる。
【００３２】
このような家庭用薄葉紙収納容器１０３であっても、家庭用薄葉紙Ｐの詰め替えを行う際、家庭用薄葉紙Ｐで封止片５０を押し開くようにして、その家庭用薄葉紙Ｐを容器本体１０に押し入れることができ、容器本体１０内に家庭用薄葉紙Ｐが収納された後、封止片５０を閉蓋の配置に復元させることで家庭用薄葉紙Ｐの詰め替え作業が完了するので、家庭用薄葉紙Ｐの詰め替えを容易に行うことができる。
【００３３】
（実施形態４）
次に、本発明に係る家庭用薄葉紙収納容器の実施形態４について説明する。なお、実施形態１と同様の構成については、同符号を付して説明を割愛する。
【００３４】
家庭用薄葉紙収納容器１０４は、例えば、図１１、図１２に示すように、上部に開口部１１が設けられた容器本体１０と、容器本体１０の開口部１１を塞ぐ複数（本実施形態では８枚）の封止片２０…と、封止片２０よりも上方の開口部１１の上端側に設けられた蓋部９０と、を備えている。
【００３５】
蓋部９０は、封止片２０が固定された枠部１１ａよりも上方の開口部１１の上端に回動軸９１を介して軸支された円板状の部材である。
この蓋部９０は、例えば、ＰＥ（ポリエチレン）やＰＰ（ポリプロピレン）、或いはＰＥＴ（ポリエチレンテレフタレート）、ＡＢＳ樹脂等から形成されている。
【００３６】
この蓋部９０が回動することによって、開口部１１の上端の内壁に内接する閉蓋の配置と、封止片２０を露出させる開蓋の配置に切り替え可能になっている。
つまり、家庭用薄葉紙収納容器１０４は、８枚の封止片２０を組み合わせてなる蓋体を内蓋とし、蓋部９０を外蓋とする二重栓構造を有している。
【００３７】
この家庭用薄葉紙収納容器１０４における家庭用薄葉紙Ｐの詰め替えに際して、蓋部９０を開蓋して８枚の封止片２０からなる内蓋としての蓋体を露出させれば、実施形態１の家庭用薄葉紙収納容器１００と同様に、容器本体１０に装填する詰め替え用の新たな家庭用薄葉紙Ｐで封止片２０を押し開いて、容器本体１０内に家庭用薄葉紙Ｐを収納することができる。
また、家庭用薄葉紙Ｐの詰め替え後や、家庭用薄葉紙Ｐを長期間使用しない状況において、蓋部９０を閉蓋すれば、８枚の封止片２０からなる内蓋としての蓋体と、外蓋としての蓋部９０とによって、２段階で開口部１１を塞ぐことができ、容器内の気密性をより一層高めることができる。そして、容器内に収納したウェットタイプの家庭用薄葉紙Ｐの乾燥を適切に防ぐことができる。
【００３８】
このような蓋部９０を備える家庭用薄葉紙収納容器１０４であっても、実施形態１の家庭用薄葉紙収納容器１００と同様に、家庭用薄葉紙Ｐの詰め替えを容易に行うことができる。
【００３９】
なお、以上の実施の形態においては、複数の封止片を同一形状とし、複数の封止片を組み合わせてなる蓋体で開口部１１を閉蓋するとしたが、本発明はこれに限定されるものではなく、異なる形状の封止片、例えば、中心角が異なる扇形の封止片を組み合わせて、開口部１１を閉蓋するようにしてもよい。
【００４０】
また、実施形態３において、ユーザが封止片５０を引き上げるように回動させて復元するとしたが、本発明はこれに限定されるものではなく、封止片５０にバネ部材を設けるなどして、そのバネ部材の反発力で封止片５０を回動させて閉蓋の配置に復元するようにしてもよい。
【００４１】
また、その他、具体的な細部構造等についても適宜に変更可能であることは勿論である。
【符号の説明】
【００４２】
１０    容器本体
１１    開口部
１１ａ  枠部
１２    底面部
２０、３０  封止片
２１、３１  一端部
２２、３２  他端部
２５    蓋体
２０ａ  封止片
４０    封止片
４０ｕ  上面
４０ｄ  下面
４１    一端部
４２    他端部
５０    封止片
５１    一端部
５２    他端部
５４    肉薄部
９０    蓋部
Ｐ      家庭用薄葉紙
１００、１０１、１０２、１０３、１０４  家庭用薄葉紙収納容器
【図１】
0005629142.tif 000002
【図２】
0005629142.tif 000003
【図３】
0005629142.tif 000004
【図４】
0005629142.tif 000005
【図５】
0005629142.tif 000006
【図６】
0005629142.tif 000007
【図７】
0005629142.tif 000008
【図８】
0005629142.tif 000009
【図９】
0005629142.tif 000010
【図１０】
0005629142.tif 000011
【図１１】
0005629142.tif 000012
【図１２】
0005629142.tif 000013